(57)【要約】【課題】暦日表示の掲示頁にメモ記載の書き込み可能カレンダーの、過去、将来に係る記載メモの、視認性と記録保存性の高いカレンダーを提供する。【解決手段】メモ記録用空欄６を付随させ、単一の暦月表示の日付欄１０を一つの記載枠１ａに形成し、時系列順に配設する記載枠群１ａ、１ｂ、‥を綴り合わせた台紙２に、１年単位の暦日表示を印刷した帯状のカレンダーを、その両端をループ体して接続して無端状カレンダー１にした上で、二つ折り状態でハンガー様の吊り下げ部材３に吊り下げ、当該月を中心に直近の過去又は将来の日程のためのメモ記録が一見できるように書き込み可能に構成する。【選択図】　　図１
2004017650.tif 000002
【特許請求の範囲】
【請求項１】
単一あるいは加える複数の暦日表示の、メモ記録用空欄（６）を付随する日付欄（１０）を一つの枠内に収めた記載枠（１ａ、１ｂ、‥）を形成し、該記載枠を時系列順に複数、配設して１年単位の暦日表示を印刷した用紙又は台紙（２）を帯状に綴り合わせて、その両端（２ｃ、２ｚ）を貼付して成る無端状カレンダー（１）に構成した上で、該無端状カレンダーを二つ折りに曲げて吊り下げ部材（３）に吊り下げ、保持可能にすると共に、無帯状カレンダー（１）が常に直近の過去のメモ記録又は将来記載予定のメモ記入欄を含む記載枠（１ａ、１ｂ、‥）の同時掲示操作が可能となる構成にすることを特徴とする記録利用性の高い無端状カレンダー。
【発明の詳細な説明】
【０００１】
【発明の属する技術分野】
本発明は、暦日を一見する歴月表示の掲示頁にメモ書き空欄を設け、過去、将来に係る記載メモの視認性と記録保存性を高めたカレンダーに関するものである。
【０００２】
【従来の技術】
メモ書き込み空欄があるカレンダーは、当日分毎に掲示する記載枠を設ける日めくり用、１ヶ月分毎の月めくり用、その二三ヶ月用のものを一面に掲示する月めくり用があり、将来分の暦日分記載枠は次頁以降に綴られる。図５に示すように、例えば暦日１日毎を１頁に記載した用紙２に、３６０余枚を綴る日めくりカレンダー１では、昨日分の日付欄１０を表示する記載枠１ａは、翌日になればミシン目２ｂから切り離し、欄内６や欄外８のメモ記録用空欄に書き込んだメモａ及びｂは、本日分の記載枠１ｂから隔離する。ここに１Ａは掲示面、１ｃ、１ｄ等は明日分以降の記載枠、３はカレンダー記載用紙を全て綴り合わせて保持する吊り下げ部材である。月めくり用カレンダーにおいても、日めくり用と同様に書き込まれたメモ記録ａ、ｂの過去分は、結局は切り離される。
【０００３】
【発明が解決しようとする課題】
ところでカレンダーに書き込むメモ記録は、明日分以降の予定記録として書き込む当座の用件限りの心憶えとして有効である以外に、過去分の記録が本日分や明日以降分に行う行動の日程や参考記録、例えば営業、工程、簡単な日記などに代わる実施容易性の高い記録として、時に高い利用価値を発揮する。しかし上記した従来カレンダーでは、昨日迄の暦日記載で掲示されなくなった表示面は、過去分として切り離され、その大部分は廃棄又は細片化したメモに処分され保存されないので、メモ記録が有効利用される機会は少ない。
【０００４】
本発明は、メモ記録が活用されないカレンダーに係る上記した問題点に鑑み開発したもので、当該日や当該月とその直近前後の暦を一つの掲示面としたとき、直近の前記暦日が隠れず、月代わりしても書き込むメモ記録が、常に先月や来月分も一見して見渡せるカレンダー様式を提供すると共に、暦日とメモを簡単にリンクできる構成を加えることによって、当該日直近の過去と将来分のメモ記録の一見性を確保し、メモ記録を長期保存できるカレンダーを提供することを目的とするものである。
【０００５】
【課題を解決するための手段】
本発明に係る記録利用性の高い無端状カレンダーは、単一あるいは加える複数の暦日表示の、メモ記録用空欄を付随する日付欄を一つの枠内に収めた記載枠を形成し、記載枠を時系列順に複数、配設して１年単位の暦日表示を印刷した用紙又は台紙を帯状に綴り合わせて、その両端を貼付して成る無端状カレンダーに構成した上で、無端状カレンダーを二つ折りに曲げて吊り下げ部材に吊り下げ、保持可能にすると共に、無帯状カレンダーが常に直近の過去のメモ記録又は将来記載予定のメモ記入欄を含む記載枠の同時掲示操作が可能に構成するものである。
【０００６】
【作用】
以上のように構成した本発明の記録利用性の高い無端状カレンダーは、暦日を含め記載枠を時系列順に複数、配設して１年単位の暦日表示を印刷した用紙を一綴りにした無端状カレンダーを形成し、当該日又は当該月を中心にその直近の過去又は将来の暦日を含めて１掲示面に吊り下げ保持して、常に先月や来月分も一見して見渡せる視認性の高いカレンダー構造を構成したので、掲示面の外側に代わった使用済部分を切り離さずに用紙の部分として先送り、保存すると共に、記録済みメモは、掲示面でも過去頁分においても用紙の前後を辿れば、参照する当該暦中心にメモの前後関係を容易に一見して読み取れる記録保持ができる。
【０００７】
【発明の実施の形態】
以下、本発明に係る記録利用性の高い無端状カレンダーを図によって説明する。ここに、図１は、本発明カレンダーの構成を説明するもので、（Ａ）は掲示面を示す立面図、（Ｂ）はその側面図、（Ｃ）はその形成法を示す展開図、そして図４は、本発明カレンダーの記載枠の要部を説明するもので、（Ａ）はメモ記録用空欄の１実施例を示す部分模式図、（Ｂ）は他の実施例を示す部分模式図である。
本発明に係る記録利用性の高い無端状カレンダーは、図１に示すように、月めくり様式の暦の記載枠１ａ、１ｂ、１ｃの各々に、一ヶ月の歴日分を一区画に枠取り、前記３枠分が前後に連続して一つの掲示面１Ａとなるように構成する。記載枠内には暦日毎に設ける日付欄１０に、その欄の内外側にメモ記録用空欄（欄内）６、（欄外）８を選択的に形成する。
また同図（Ｃ）に示すように、暦月１年ものループ体から成るカレンダーに例えれば、時系列順に用紙２に暦を印刷して前記記載枠が帯状にカレンダー１として綴り合わせ、その両端２ｃ、２ｚを背面で図示二点鎖線矢印のように寄せて無端ループ状に張り合わせる。出来上がったループ体は、同図（Ｂ）示すように、二つ折りにして吊り下げ部材３に付属する案内ロッド４に上部から掛け廻し、当該暦日を含む表示枠を中間に位置付けた過去と将来分が、同図（Ａ）に示すような掲示面１Ａを形成する。なお図１には記載枠に月めくり様式を例に上下に記載する構成を示したが、記載枠に一週間分の暦日や特定一定数を纏めた暦日を枠内に形成しても良い。さらに左右に移動する構成にしてもよく、掲示面１Ａを移動方向に合わせて列単位に形成してもよい。ここに７は取付壁９に固定して吊り下げ部材３を懸架する受け具、破線矢印は記載枠１ａが使用済になり、記載枠１ｂが当該月となって掲示面１Ａに表示される場合の、カレンダー１の移動操作方向を示す。用紙又は台紙２（以下、台紙という）は印刷可能シートであって、１記載枠１ａ、１ｂ、‥の境界域がほぼ二直角に折り曲げられる可撓性のものである。
【０００８】
【実施例】
本発明による記録利用性の高い無端状カレンダーの実施例を説明する。ここに、図２は、本発明カレンダーの基本形の１実施例を説明するもので、（Ａ）は部分側断面を含む側面図、（Ｂ）は（Ａ）のＡ−Ａ′矢視図、そして図３は、本発明カレンダーの操作の特徴を説明するもので、その正面図である。
図２に示すように、無端状カレンダー１を吊り下げ、保持する受け具７を取付壁９に固定して、そこに吊り下げ孔３ａを掛けてハンガー様の吊り下げ部材３を仮固定している。該吊り下げ部材両端下向きに一対のアーム３ｂを付設し、そのアーム一側側面を開口し、そこに連通する凹部を複数、独立して加工して、各吊り下げ用の案内ロッド４ａ、４や、背板の保持バー５ｂを外から凹部に着脱自在にはめ込む構造を作っている。該保持バーは、上部の前記案内ロッド下側にカレンダー掲示面１Ａとほぼ同大きさに形成、配設する背板５上部に左右に張り出した一対状のものである。また該背板下部には、左右の縁板に着脱自在に仮固定する、側断面コ字状の一対のロッド保持枠５ａを、ループ状台紙２の下部を支える案内ロッド４ｂに装着して、中空に保持している。案内ロッド４、４ａ、４ｂは、それぞれ回転自在又は表面を滑り易く加工して、接触する台紙２を円滑に移動できるようにしている。
【０００９】
このように形成した吊り下げ部材３に吊り下げる無端状カレンダー１を、当該暦日を含む記載枠が完全表示できる掲示面１Ａに配置するように、吊り下げ部材３に設けた案内ロッド４ａ、４及び下部の案内ロッド４ｂに挿設する。ここに吊り下げ部材３、案内ロール４ａ、４、４ｂ、背板５、保持バー５ｂ及び保持枠５ａは、硬質紙材を主材に、随時、ラップ加工して滑り易さや強度を加えている。なお、ここに図示しない下側に受けバーを差し渡し、その上部にカレンダー幅の広さに開口するハンガー様吊り下げ具を形成して、無端状カレンダー１をその開口部に仮配置する簡易構造の保持具を壁掛けして用いてもよい。さらにここに図示しないが、無端ループ状に張り合わせる一方の端部に一列に凹部を設け、他方の端部に該凹部に着脱自在に嵌着する凸部を形成して、それら両端部を一体的に無端状化してループ体を形成するようにしても良い。このようなループ体の接合形式を取ることにより、使用済カレンダーの直近の暦月と使用始めのカレンダーの使用当該歴月との一時的な連続性を保持することができる。
【００１０】
このように構成した本発明の無端状カレンダーの操作を、図２と図３によって説明する。図３の図中左側に示す、掲示面１Ａに当月分記載枠１ｂを中心に配置して吊り下げている場合、月代わりになっても左図状態のまま新規の当該月にメモ記録を書き込むことができるが、図２（Ａ）の図中左側に示す矢印のように、ループ体の台紙２を引き下げ、図３に示す白抜き矢印に従う右側の掲示面に替えれば、背後にあった来来月を新規来月分として記載枠１ｄを引き出す手動操作する。この操作で、記載枠１ｄ、１ｃ、１ｂが新規の来月ないし先月となって当該月を中心にした一見性を確保できる。台紙２引き下げ操作では、図２に示す案内ロール４ａ、４、４ｂの配置が該台紙の移動を円滑にしている。
【００１１】
【発明の効果】
本発明の記録利用性の高い無端状カレンダーによれば、時系列順に歴月を単位に前後に連ねて一綴りの無端状にカレンダーを形成し、一掲示面に直近の過去、現在そして将来予定のメモ記録を同時に表示し、掲示しないメモも暦日表示と共に繰り返して読める上に、本発明カレンダーは同時表示できる視認性や記録保存性及び記録再利用性を高めると共に、日報代用、過去に遡る重複事項の検証、過去のメモと当該日との関連性把握などを含め、改めてのメモ記録の転記をしなくとも情報活用度が高められ、カレンダーの従来の概念を超えて、業務能率の改善効果を格段に向上させる。
【図面の簡単な説明】
【図１】本発明の記録利用性の高い無端状カレンダーの構成を説明するもので、（Ａ）は掲示面を示す立面図、（Ｂ）はその側面図、（Ｃ）はその形成法を示す展開図である。
【図２】本発明カレンダーの基本形の１実施例を説明するもので、（Ａ）は部分側断面を含む側面図、（Ｂ）は（Ａ）のＡ−Ａ′矢視図である。
【図３】本発明カレンダーの操作の特徴を説明するもので、その正面図である。
【図４】本発明カレンダーの記載枠要部を説明するもので、（Ａ）はメモ記録用空欄の１実施例を示す部分模式図、（Ｂ）は他の実施例を示す部分模式図である。
【図５】従来技術を示す部分斜視図である。
【符号の説明】
１　　　　　　　　　無端状カレンダー
１Ａ　　　　　　　　掲示面
１ａ、１ｂ、‥　　　記載枠
２　　　　　　　　　台紙
２ｂ　　　　　　　　ミシン目（切り離し部）
２ｃ、２ｚ　　　　　台紙端部
３　　　　　　　　　吊り下げ部材
３ａ　　　　　　　　吊り下げ孔
４、４ａ、４ｂ　　　案内ロッド
５　　　　　　　　　背板
５ａ　　　　　　　　ロッド保持枠
５ｂ　　　　　　　　保持バー
６　　　　　　　　　メモ記録用空欄（欄内）
７　　　　　　　　　受け具
８　　　　　　　　　メモ記録用空欄（欄外）
９　　　　　　　　　取付壁
１０　　　　　　　　　日付欄
ａ、ｂ、‥　　　　　　メモ記録
【図１】
2004017650.tif 000003
【図２】
2004017650.tif 000004
【図３】
2004017650.tif 000005
【図４】
2004017650.tif 000006
【図５】
2004017650.tif 000007